(57)【特許請求の範囲】
【請求項１】
シャッターカーテンの巻取り装置をシャッター全閉位置で自動的に停止させるように構成されている電動シャッターにおいて、シャッターカーテンに、シャッターカーテン裏面から突出した起立姿勢と、支軸周りで下方に揺動してシャッターカーテンの厚み内に収容された倒伏姿勢とにわたって起伏自在に枢着され、且つ、バネにより起立姿勢に付勢された突起体を設ける一方、シャッターケースのまぐさ部には、シャッターカーテンが正常なシャッター全閉位置に達した後も動き続ける場合に前記巻取り装置を緊急停止させるためのエマーゼンシスイッチを、その下限異常検出用アクチュエータの先端が起立姿勢にある突起体の移動軌跡内に突出した状態に設置し、シャッターカーテンが正常なシャッター全閉位置に達した後も動き続けたとき、前記突起体で前記アクチュエータを押し動かして、エマーゼンシスイッチを作動させるように構成したことを特徴とする電動シャッター。
【発明の詳細な説明】
【０００１】
【発明の属する技術分野】
本発明は、シャッターカーテンの巻取り装置をシャッター全閉位置で自動的に停止させるように構成されている電動シャッターに関するものである。
【０００２】
【従来の技術】
シャッターカーテンが正常なシャッター全閉位置まで降下することによってＯＦＦ操作される下限リミットスイッチによって、巻取り装置をシャッター全閉位置で自動的に停止させるようにした電動シャッターや、巻取り装置の回転数を検出器でカウントすることによって、巻取り装置をシャッター全閉位置で自動的に停止させるようにした電動シャッターにおいては、下限リミットスイッチの接点の溶着（ＯＮのままとなる故障）やその他の電気系統の故障により、シャッターカーテンが、下限リミットスイッチや検出器で設定された正常なシャッター全閉位置に達した後も動き続ける場合に、前記巻取り装置を緊急停止させるためのエマーゼンシスイッチを設けることが望ましい。
【０００３】
このようなエマーゼンシスイッチを備えた電動シャッターとしては、図７に示すように、シャッターケースのまぐさ部５に、上方へ長く起立した下限異常検出用のアクチュエータ１４を備えたエマーゼンシスイッチＥＳを設け、シャッターカーテン１が正常なシャッター全閉位置に達した後も動き続けたとき、シャッターケース内でシャッターカーテン１が逆巻（スラット８どうしが巻取り時の折れ曲がりとは逆方向に折れ曲がること）することにより、スラット相互の抱合部８ａで前記アクチュエータ１４を押し動かして、エマーゼンシスイッチＥＳを作動させるようにしたものが知られている。尚、１５は、シャッターカーテン１が正常なシャッター全開位置よりも上昇したときに、シャッターカーテン１下端の座板で上方へ押し動かされる上昇異常検出用のアクチュエータである。
【０００４】
しかしながら、この従来例では、シャッターカーテン１が正常なシャッター全閉位置に達した後も動き続けて、逆巻が生じたときの逆巻現象を利用して、アクチュエータ１４を押し動かす構造であるから、エマーゼンシスイッチＥＳと巻き取られた状態にあるシャッターカーテン１の外周との間に、シャッターカーテン１の逆巻部分と当該逆巻部分で操作されるアクチュエータ１４のための大きな収納スペースが必要とされ、シャッターケースの高さ方向での寸法が大きくなる傾向があり、その結果として、天井裏に広い設置スペースが要求され、階高の低い建物への設置ができなかった。
【０００５】
また、シャッターカーテン１が正常なシャッター全閉位置に達した後も動き続けて、逆巻が生じた時点では、既に、シャッターカーテン１がガイドレール６内でジグザグ状に屈折してガイドレール６を押し広げようとする力が発生し、スラット８自身にも荷重が加わることから、ガイドレール６やスラット８が変形したり、シャッターケース内でシャッターカーテン１が逆巻することにより、スラット抱合部８ａの変形やスラット８の撓み等が生じ、シャッターケースやケース内に配置される巻取り装置のブレーキ等を損傷することがあった。
【０００６】
【発明が解決しようとする課題】
上記の現状に鑑み、本発明は、エマーゼンシスイッチと巻き取ったシャッターカーテンの外周との間のスペースをコンパク化して、階高の低い建物への設置も可能にした電動シャッターを提供するものである。
【０００７】
【課題を解決するための手段】
上記の課題を解決するために、本発明が講じた技術的手段は、次のとおりである。即ち、本発明の特徴は、シャッターカーテンの巻取り装置をシャッター全閉位置で自動的に停止させるように構成されている電動シャッターにおいて、シャッターカーテンに、シャッターカーテン裏面から突出した起立姿勢と、支軸周りで下方に揺動してシャッターカーテンの厚み内に収容された倒伏姿勢とにわたって起伏自在に枢着され、且つ、バネにより起立姿勢に付勢された突起体を設ける一方、シャッターケースのまぐさ部には、シャッターカーテンが正常なシャッター全閉位置に達した後も動き続ける場合に前記巻取り装置を緊急停止させるためのエマーゼンシスイッチを、その下限異常検出用アクチュエータの先端が起立姿勢にある突起体の移動軌跡内に突出した状態に設置し、シャッターカーテンが正常なシャッター全閉位置に達した後も動き続けたとき、前記突起体で前記アクチュエータを押し動かして、エマーゼンシスイッチを作動させるように構成したことにある。
【０００８】
上記の構成によれば、例えば下限リミットスイッチやその他の電気系統の故障により、巻取り装置が正常なシャッター全閉位置で自動的に停止せず、シャッターカーテンがシャッター全閉位置に達した後も動き続けたとき、シャッターカーテンの逆巻現象を利用する代わりに、シャッターカーテン裏面から突出した突起体で下限異常検出用アクチュエータを押し動かして、エマーゼンシスイッチを作動させ、巻取り装置を緊急停止させるようにしたので、エマーゼンシスイッチと巻き取ったシャッターカーテンの外周との間に、シャッターカーテンの逆巻部分や逆巻部分で操作されるアクチュエータのための大きな収納スペースを確保する必要がなく、シャッターケースの高さ方向での寸法を小さくすることができる。
【０００９】
従って、天井裏に広い設置スペースが要求されず、階高の低い建物への設置が可能である。また、シャッターカーテンの逆巻現象を利用せず、シャッターカーテンに設けた突起体で下限異常検出用アクチュエータを押し動かして、エマーゼンシスイッチを作動させるので、シャッターカーテンの逆巻が生じる前に、突起体で下限異常検出用アクチュエータを押し動かして、エマーゼンシスイッチを作動させるように設定することが原理的に可能となり、ガイドレールやスラット等の変形や損傷を防止することが可能である。
【００１０】
また、突起体は、シャッターカーテンに、シャッターカーテン裏面から突出した起立姿勢と、支軸周りで下方に揺動してシャッターカーテンの厚み内に収容された倒伏姿勢とにわたって起伏自在に枢着され、且つ、バネにより起立姿勢に付勢されているので、シャッターカーテンを巻き取ることにより、起立姿勢にある突起体が自動的に倒伏姿勢となり、電動シャッターの通常の開閉時に、突起体を倒伏させるための人為操作が不要であり、シャッターカーテンを巻取り装置のシャフトに巻き取った際、突起体がシャフトとシャッターカーテンの間に挟み込まれて巻取り状態がいびつになるようなこともない。
【００１１】
【発明の実施の形態】
以下、本発明の好適な実施の形態を図面に基づいて説明する。図１は、本発明にかかる電動シャッターの一例を示し、図２はその要部を示す。この電動シャッターは、シャッターカーテン１が正常なシャッター全閉位置まで降下するまでの巻取り装置２の回転数を図外の検出器でカウントすることによって、巻取り装置２をシャッター全閉位置で自動的に停止させ、シャッターカーテン１が正常なシャッター全開位置まで上昇するまでの巻取り装置２の回転数をカウントすることによって、巻取り装置２をシャッター全開位置で自動的に停止させるように構成されている。４は、巻取り装置２やブレーキ３を収納するシャッターケース、５はシャッターケース４のまぐさ部、６はシャッターカーテン１の両側部を昇降自在に案内するガイドレール、７は天井板である。
【００１２】
８は、シャッターカーテン１を構成するスラットで、抱合部８ａを介して相互に接続されている。９は、シャッターカーテン１の下部に設けられた重りを兼ねた座板で、一対のアングル材を表裏両面側から組み付けることによって構成されている。Ｍは巻取り装置２を駆動する減速機付きのモータ、１０は、モータＭの出力側スプロケット１１と巻取りシャフト２ａの入力側スプロケット１２とにわたって巻回した伝動チェーンである。
【００１３】
シャッターケース４のまぐさ部５には、シャッターカーテン１が正常なシャッター全閉位置に達した後も動き続ける場合と、正常なシャッター全開位置に達した後も動き続ける場合に、前記巻取り装置２を緊急停止させるためのエマーゼンシスイッチＥＳが設けられている。図示のエマーゼンシスイッチＥＳは、一旦、ＯＦＦ操作されると人為的なシャッターの復旧作業を行わない限りＯＮ操作できないように回路構成されたマイクロスイッチ１３と、それをＯＦＦ操作する下限異常検出用アクチュエータ１４および上昇異常検出用アクチュエータ１５と、下限異常検出用アクチュエータ１４の長手方向中央部を水平な支軸１６周りに揺動自在に枢支すると共に、上昇異常検出用アクチュエータ１５の元端を水平な支軸１７周りに揺動自在に枢支するブラケット１８と、下限異常検出用アクチュエータ１４の支軸１６よりも元端側の位置と上昇異常検出用アクチュエータ１５とを枢支連結するリンク１９とで構成されている。
【００１４】
シャッターカーテン１には、シャッターカーテン１が正常な全閉位置（座板９が床Ｆに着地した位置）に降下した状態において、前記下限異常検出用アクチュエータ１４と対応する吊元側のスラット８の裏面に、図２、図３に示すように、スラット裏面から突出した起立姿勢と、水平な支軸２０周りで下方に揺動してスラット８の厚み内に収容された倒伏姿勢とにわたって起伏自在に枢着され、且つ、バネ２１により起立姿勢に付勢された突起体２２を設けてある。起立姿勢にある突起体２２は、ブラケット２３の一部と当接して、それ以上の角度に揺動しないようになっている。
【００１５】
前記下限異常検出用アクチュエータ１４は、その先端が起立姿勢にある突起体２２の移動軌跡内に突出した状態に設置してあり、シャッターカーテン１が正常な全閉位置に達した後も動き続ける場合に、前記突起体２２で下限異常検出用アクチュエータ１４の先端を下方へ押し動かすことにより、エマーゼンシスイッチＥＳを作動（前記マイクロスイッチ１３をＯＦＦ操作）させるように構成してある。
【００１６】
上昇異常検出用アクチュエータ１５は、シャッターカーテン１が正常なシャッター全開位置に達した後も動き続けたときに、座板９で上方へ突き上げられ、前記下限異常検出用アクチュエータ１４の元端側を支軸１６周りに上方へ突き上げて、前記エマーゼンシスイッチＥＳを作動（前記マイクロスイッチ１３をＯＦＦ操作）させるように構成してある。
【００１７】
上記の構成によれば、異常がない場合には、シャッターカーテン１が正常なシャッター全閉位置に達する（座板９が着床Ｆする）ことにより、巻取り装置２が自動的に停止する。この状態では、図４に示すように、各スラット８の抱合部８ａに、かなりのガタ（融通間隙）があって、突起体２２は下限異常検出用アクチュエータ１４よりも上方（下限異常検出用アクチュエータ１４を押し動かさない位置）に停止することになる。
【００１８】
電気系統の故障等により、巻取り装置２が停止せず、シャッターカーテン１が正常な全閉位置に達した後も動き続ける場合には、図５に示すように、座板９が着床Ｆした後のシャッターカーテン１の繰り出しに伴って、各々のスラット８の抱合部８ａのガタ（融通間隙）が狭まることにより、突起体２２が下降するので、下限異常検出用アクチュエータ１４の先端を押し動かし、エマーゼンシスイッチＥＳが作動し、巻取り装置２が緊急停止することになる。
【００１９】
また、突起体２２は、シャッターカーテン１に、シャッターカーテン１裏面から突出した起立姿勢と、支軸２０周りで下方に揺動してシャッターカーテン１の厚み内に収容された倒伏姿勢とにわたって起伏自在に枢着され、且つ、バネ２１により起立姿勢に付勢されているので、シャッターカーテン１を巻き取ることにより、図３に示すように、起立姿勢にある突起体２２が自動的に倒伏姿勢となり、電動シャッターの通常の開閉時に、突起体２２を倒伏させるための人為操作が不要であり、シャッターカーテン１を巻取り装置２のシャフト２ａに巻き取った際、突起体２２がシャフト２ａとシャッターカーテン１の間に挟み込まれて巻取り状態がいびつになるような不具合がない。
【００２０】
図６は、本発明の他の実施の形態を示す。この実施の形態は、シャッターカーテン１が、多数の横棒１ａをリンク１ｂで枢支連結することにより、内部を透視可能な格子状に構成された防犯用の電動グリルシャッターに本発明を適用した点に特徴があり、突起体２２は、リンク１ｂに、シャッターカーテン１裏面から突出した起立姿勢と、支軸２０周りで下方に揺動してシャッターカーテン１の厚み内に収容された倒伏姿勢とにわたって起伏自在に枢着され、且つ、バネ２１により起立姿勢に付勢されている。その他の構成は先の実施の形態と同じであるため説明を省略する。
【００２１】
この場合、リンク１ｂの連結部位には、上述したスラット抱合部のようなガタは殆ど無いが、ガイドレール６とシャッターカーテン１との融通間隙があるので、電気系統の故障等により、巻取り装置２が停止せず、シャッターカーテン１が正常な全閉位置（座板９が床Ｆに着地した位置）に達した後も動き続ける場合には、前記融通間隙の範囲で、突起体２２が下降して、下限異常検出用アクチュエータ１４の先端を押し動かすことになり、エマーゼンシスイッチＥＳが作動して、巻取り装置が緊急停止することになる。
【００２２】
尚、上述した実施の形態では、何れも、巻取り装置２の回転数を図外の検出器でカウントすることによって、巻取り装置２をシャッター全閉位置とシャッター全開位置で自動的に停止させるように構成されている電動シャッターを例にとって本発明を説明したが、本発明は、下限リミットスイッチと上限リミットスイッチを用いて、巻取り装置２をシャッター全閉位置とシャッター全開位置で自動的に停止させるように構成した電動シャッターを対象にして実施できる。また、上述した実施の形態では、何れも、シャッターカーテン１が正常なシャッター全閉位置に達した後も動き続ける場合と、正常なシャッター全開位置に達した後も動き続ける場合に、前記巻取り装置２を緊急停止させるためのエマーゼンシスイッチＥＳを例にとって本発明を説明したが、本発明にいうエマーゼンシスイッチＥＳとしては、上限異常検出の機能が無く、シャッターカーテン１が正常なシャッター全閉位置に達した後も動き続ける場合にのみ、巻取り装置２を緊急停止させる機能を有するものであってもよい。
【００２３】
【発明の効果】
本発明は、上述した構成よりなるから、次の効果がある。
▲１▼例えば下限リミットスイッチやその他の電気系統の故障により、巻取り装置が正常なシャッター全閉位置で自動的に停止せず、シャッターカーテンがシャッター全閉位置に達した後も動き続けたとき、シャッターカーテンの逆巻現象を利用する代わりに、シャッターカーテン裏面から突出した突起体で下限異常検出用アクチュエータを押し動かして、エマーゼンシスイッチを作動させ、巻取り装置を緊急停止させるようにしたので、エマーゼンシスイッチと巻き取ったシャッターカーテンの外周との間に、シャッターカーテンの逆巻部分や逆巻部分で操作されるアクチュエータのための大きな収納スペースを確保する必要がなく、シャッターケースの高さ方向での寸法を小さくすることができ、従って、天井裏に広い設置スペースが要求されず、階高の低い建物への設置が可能である。
▲２▼シャッターカーテンの逆巻現象を利用せず、シャッターカーテンに設けた突起体で下限異常検出用アクチュエータを押し動かして、エマーゼンシスイッチを作動させるので、シャッターカーテンの逆巻が生じる前に、突起体で下限異常検出用アクチュエータを押し動かして、エマーゼンシスイッチを作動させるように設定することが原理的に可能となり、ガイドレールやスラット等の変形や損傷を防止することが可能である。
▲３▼突起体は、シャッターカーテンに、シャッターカーテン裏面から突出した起立姿勢と、支軸周りで下方に揺動してシャッターカーテンの厚み内に収容された倒伏姿勢とにわたって起伏自在に枢着され、且つ、バネにより起立姿勢に付勢されているので、シャッターカーテンを巻き取ることにより、起立姿勢にある突起体が自動的に倒伏姿勢となり、電動シャッターの通常の開閉時に、突起体を倒伏させるための人為操作が不要であり、シャッターカーテンを巻取り装置のシャフトに巻き取った際、突起体がシャフトとシャッターカーテンの間に挟み込まれて巻取り状態がいびつになるようなこともない。
【図面の簡単な説明】
【図１】電動シャッターの全体の構成を概略的に示す図である。
【図２】電動シャッターの要部の構成を説明する図である。
【図３】エマーゼンシスイッチの構成を説明する図である。
【図４】作用を説明する図である。
【図５】作用を説明する図である。
【図６】多数の横棒をリンクで連結してシャッターカーテンを構成した電動グリルシャッターに本発明を適用した実施の形態を示す図である。
【図７】従来例の説明図である。
【符号の説明】
ＥＳ…エマーゼンシスイッチ、１…シャッターカーテン、２…巻取り装置、１４…下限異常検出用アクチュエータ、２２…突起体。
【図１】
0003854413.tif 000002
【図２】
0003854413.tif 000003
【図３】
0003854413.tif 000004
【図４】
0003854413.tif 000005
【図５】
0003854413.tif 000006
【図６】
0003854413.tif 000007
【図７】
0003854413.tif 000008